(57)【要約】      （修正有）【課題】棚板を希望位置に移動保持することができる収納棚を提供する。【解決手段】収納棚を棚板保持柱、複数枚の棚板、及びベース板により構成し、棚板保持柱の前面、側面、又は背面の垂直方向に棚を保持するための複数個の溝、或いは複数個の棚保持具取り付け用の孔を設ける。複数枚の棚板には棚板保持柱を挿入可能な寸法の孔を設け、棚板保持柱をベース板に固定後、棚板保持柱に棚板に設けた孔を挿入し、希望位置に移動後、棚板保持柱に設けた溝に棚板を差し込み保持する、或いは棚板保持柱に設けた孔に棚板保持具を取り付け、棚板を保持具により保持する。【選択図】図３
0003170368.tif 000002
【実用新案登録請求の範囲】
【請求項１】
（１）収納棚を棚板保持柱、複数の棚板、及びベース板により構成し、（２）棚板保持柱の前面、側面、或いは背面に棚を保持するための溝を垂直方向に複数個設け、（３）棚板には柱を挿入可能な寸法の孔を設け、（４）柱をベース板に固定、（５）棚板に設けた孔に棚板保持柱を挿入、（６）棚板を希望位置に移動後、棚板を棚板保持柱に設けた溝に差し込み棚板を保持する方式の（７）棚保持用溝式柱を有する収納棚。
【請求項２】
（１）収納棚を棚板保持柱、複数の棚板、及びベース板により構成し、（２）棚板保持柱の前面、側面、或いは背面に棚保持具取り付け用の孔を垂直方向に複数個設け、（３）棚板には柱を挿入可能な寸法の孔を設け、（４）柱をベース板に固定、（５）棚板に設けた孔に棚板保持柱を挿入、（６）棚板を希望位置に移動後、棚保持具用孔に棚保持具を差し込み棚板を保持する方式の（７）棚保持具用孔式柱を有する収納棚。
【考案の詳細な説明】
【技術分野】
【０００１】  本考案は棚板を柱により保持する形式の収納棚に関するものである。
【背景技術】
【０００２】  従来の多くの棚板を柱により保持する形式の収納棚の棚板は固定式である。
【考案の開示】
【考案が解決しようとする課題】
【０００３】  従来の多くの棚板を柱により保持する形式の収納棚の棚板は固定式である点を可動式とすることを解決課題とする。
【課題を解決するための手段】
【０００４】  本考案は従来の問題点を解決するため棚板を保持柱により保持する形式の収納棚を棚板保持柱、複数枚の棚板、及びベース板により構成し、棚板保持柱の前面、側面、又は背面の垂直方向に棚を保持するため複数個の溝を設ける、或いは棚板保持柱の前面、側面、又は背面の垂直方向に複数個の棚保持具を取り付ける孔を設け、棚板には棚板保持柱を挿入可能な寸法の孔を設け、棚板保持柱をベース板に固定後、棚板保持柱に棚板に設けた孔を挿入し、希望位置に移動後、棚板保持柱に設けた溝に棚板を差し込み保持する、或いは希望位置に移動後、棚板保持柱に設けた孔に棚板保持具を取り付け、棚板を保持する方式により棚板を可動とする可動棚板柱保持式収納棚を解決手段とする。
【考案の効果】
【０００５】  上記考案の棚板を保持柱により保持する形式の収納棚の棚板保持柱に溝を設け、溝に棚板を差し込む、或いは棚板保持柱に棚保持具取り付け孔を設け、棚保持具を取り付け、棚板を保持する方式により棚板を希望位置に移動保持することが可能となり、便利でデザイン性に優れ多様な使い道が可能となる効果がある。
【考案を実施するための最良の形態】
【０００６】  棚板を保持柱により保持する形式の収納棚を棚板保持柱、複数枚の棚板、及びベース板により構成し、棚板保持柱に垂直方向に複数個の棚保持用の溝を設ける、又は複数個の棚保持具を取り付ける孔を設け、棚板には棚板保持柱を挿入可能な寸法の孔を設け、棚板保持柱をベース板に固定後、棚板保持柱に棚板に設けた孔を挿入し、希望位置に移動後、棚板保持柱に設けた溝に棚板を差し込み保持する、或いは希望位置に移動後、棚板保持柱に設けた孔に棚板保持具を取り付け、棚板を保持する方式の本考案を以下、図１〜図９を参照して実施するための最良の形態を説明する。
【実施例】
【０００７】  以下、添付図に従って実施例を説明する。図１は請求項１の棚板を保持柱により保持する形式の収納棚の部品構成を説明する図である。棚板保持柱１の前面、背面、或いは側面に棚板を差し込み保持する溝２を垂直方向に複数個設け、複数枚数の棚板３には柱の挿入可能な寸法の孔５を設けてある。尚、柱１の形状、及び棚板３、ベースパネル形状は角、長方形、丸、長円形等多種多様であり図示に限定するものではない。棚板３に付属している落下防止バー６の有無、及び棚板保持柱１を挿入する孔５の位置、形状、サイズ等は図示に限定しない。【０００８】  図２は図１にて説明の棚板を保持柱により保持する形式の収納棚部品組み付け過程図である。図示の如く棚板保持柱１にベースパネル４を取り付け固定し、棚板３の柱差込み孔に保持柱１を挿入し、希望位置の溝２に棚板を差し込み収納棚とする過程の説明図である。棚板３を水平に設定する場合、溝を溝７の様に水平に設けることにより、図示上段の棚３の如く水平に設置可能となり、図示下段の棚３のように溝形状２を斜めに設定した場合斜め設置が可能となる。棚板３を柱１に差し込むだけで棚板を簡単に移動、保持が可能であり、棚板保持具無しでも保持可能の場合もある。棚板３の水平、或いは斜め設置により溝形状２は違うため、溝の形状、ピッチ、個数は限定するものではない。【０００９】  図３は棚板３を必要枚数棚板保持柱１に挿入し、柱１に設けた溝２に棚板３を差込み収納棚を完成した参考斜視図である。図示のように棚板３を斜めに設定した場合雑誌等のデイスプレイラック、シューズラック等の使用に最適例を示す図である。図２で説明するように棚板３を前段水平、前段斜め、或いは水平、及び斜めの組合せも柱１に設けた溝２の形状により可能である。【００１０】  図４は棚板保持柱１を丸棒形状の場合の参考例図である。図示の如く丸棒柱１の場合は棚板３の方向設定が自由に可能となり収納棚としての活用範囲がより多様となる。尚、丸棒の溝、及び丸棒の形状は円、楕円、等多様であり図示に限定するものではない。溝形状によっては棚板３の水平設定も可能である。【００１１】  図５は請求項２の棚板保持柱１の側面に棚保持具用孔９を設けた収納棚組み立て過程斜視図である。図示の如く棚板保持柱１にベースパネル４を取り付け固定し、棚板３の柱差し込み孔に保持柱１を挿入し、希望位置の孔に棚保持具を取り付けて棚板を保持し収納棚とする過程の説明図である。棚保持具８はピンタイプ、Ｕタイプ等多様であり限定するものではない。棚保持具８の取り付け位置により上段の棚３のように水平、又は下段棚３のように斜めの設定が可能であり、孔サイズ、孔ピッチ等は限定するものではない。【００１２】  図６は図５の棚板保持柱１の側面に棚保持具用孔９を設けた図を説明するための側面図である。上段棚３のように水平設置を安定するため棚保持具８を２箇所使用する場合もある。下段の棚３のように斜め使用の場合は１箇所の棚保持具８の使用でも棚板の自重により棚板先端が下がるため安定設置は可能である。【００１３】  図７は棚板保持柱１の側面に棚受け具用孔９を設けた収納棚の応用例である、図示の如くに棚保持具８をＵ字型の長い形状として棚板３を安定させる場合もある。���００１４】  図８は請求項２の棚板保持柱１の背面、又は前面、或いは前後両面に棚受け具用孔９を設けた収納棚組み立て過程斜視図である。図示の如く棚板保持柱１にベースパネル４を取り付け固定し、棚板３の柱差し込み孔に保持柱１を挿入し、希望位置の孔に棚保持具を取り付けて棚板を保持し収納棚とする過程の説明図である。棚保持具８の取り付け位置により上段の棚３のように水平、又は下段棚３のように斜めの設定が可能であり、孔のサイズ、孔のピッチ等は限定するものではない。棚板３を水平使用する場合図示のように貫通孔１０を棚板３に設け、棚保持具８を差し込み、より安定した状態で使用も可能である。なお貫通孔１０の位置は限定するものではない。【００１５】  図９は棚板保持柱１の背面、或いは前面、又は前後両方に棚保持具用孔９を設けた収納棚の図８を説明する側面図である。図示のように棚保持具８は棚板保持柱１の後方、或いは前方、又は前後両方に使用する場合があり限定しない。
【図面の簡単な説明】
【００１６】
【図１】  溝付き角柱棚板保持収納棚構成斜視図
【図２】  溝付き角柱棚板保持収納棚組み付け斜視図
【図３】  溝付き角柱棚板保持収納棚完成斜視図
【図４】  溝付き丸柱棚板保持収納棚斜視図
【図５】  柱側面の棚保持具による収納棚斜視図
【図６】  柱側面の棚保持具による収納棚側面図
【図７】  柱側面の棚保持具による収納棚応用斜視図
【図８】  柱前面、背面の棚保持具による収納棚斜視図
【図９】  柱前面、背面の棚保持具による収納棚側面図
【符号の説明】
【００１７】  １  棚板保持柱
２  溝
３  棚板
４  ベースパネル
５  柱挿入孔
６  落下防止バー
７  水平溝
８  棚保持具
９  棚保持具取り付け孔
１０  棚板貫通孔
【図１】
0003170368.tif 000003
【図２】
0003170368.tif 000004
【図３】
0003170368.tif 000005
【図４】
0003170368.tif 000006
【図５】
0003170368.tif 000007
【図６】
0003170368.tif 000008
【図７】
0003170368.tif 000009
【図８】
0003170368.tif 000010
【図９】
0003170368.tif 000011